(57)【特許請求の範囲】
【請求項１】
温水タンク装置と、該温水タンク装置から供給される洗浄水を噴出可能なノズルとが取り付けられ、便鉢を有する洋風便器本体の後部上面に載置されるベース部材を有する局部洗浄装置において、
前記ベース部材は、前記洋風便器本体の後部上面に載置された際に前記便鉢の後部上方に開口する排水口と、左右一方の上面に設けられ、前記温水タンク装置から排水される捨て水がホースを介して流入する集水部とを有し、
該集水部は、ベース部材の上面に立ち上げられ、該排水口側が開放された周壁と、該周壁の上端に接続された上面を有する蓋部材とから形成され、
該蓋部材は、上面の一部であって、前記周壁が開放された部分から水平方向に離れた部分が上方に膨張して形成され、該ホースの下流端が接続される流入口が設けられた流入部を有することを特徴とする局部洗浄装置。
【請求項２】
前記温水タンク装置には水抜き機構及び大気開放機構が設けられ、該水抜き機構及び該大気開放機構には前記捨て水が吐水される吐水口が設けられ、
各該吐水口には別々の前記ホースの上流端が接続されている請求項１記載の局部洗浄装置。
【請求項３】
前記流入口は、前記流入部の側面の上部に形成されている請求項１又は２記載の局部洗浄装置。
【請求項４】
前記集水部は前記ベース部材の左右方向に伸びた横長形状であり、前記流入部は該ベース部材の左右端部の近い方に偏らせて形成されている請求項１乃至３のいずれか１項記載の局部洗浄装置。
【発明の詳細な説明】
【技術分野】
【０００１】
本発明は局部洗浄装置に関する。
【背景技術】
【０００２】
特許文献１に従来の局部洗浄装置が開示されている。この局部洗浄装置は、便鉢を有する洋風便器本体の後部上面に載置されるベース部材を有している。ベース部材には、リザーブタンクと、リザーブタンクにポンプを介して連通する温水タンクと、温水タンクから供給される洗浄水を噴出可能なノズルとが取り付けられている。ベース部材は、洋風便器本体の後部上面に載置された際に便鉢の後部上方に開口する排水口を有している。また、ベース部材は、排水口の後方に設けられ、リザーブタンクから排出される捨て水がホースを介して流入する流入部を有している。流入部は、ベース部材の上面に立ち上げられ、上下方向に切欠きを有する略円筒状の周壁と、周壁の上端に接続され、流入口が設けられた蓋部材とから形成されている。さらに、ベース部材は、流入部と排水溝を囲むように上面から立ち上げられ、捨て水を流入部から排水口へ案内するガイド壁を有している。
【０００３】
この局部洗浄装置では、ノズルから噴出する洗浄水の流量より多量の洗浄水がリザーブタンクに供給された場合、供給過剰な洗浄水を捨て水として、ホースを介して流入部に流入させ、ガイド壁に囲まれたベース部材の上面を流し、排水口から便鉢内へ排水させることができる。
【０００４】
【特許文献１】特開平８−９３０３０号公報
【発明の開示】
【発明が解決しようとする課題】
【０００５】
しかし、上記従来の局部洗浄装置では、ガイド壁内の上方が開放されているため、流入部に勢いよく流入した捨て水が局部洗浄装置内に飛散してしまうおそれがある。このため、捨て水が飛散しないようにするためには、ガイド壁を高くしなければならず、局部洗浄装置内にそのためのスペースが必要になる。
【０００６】
本発明は、上記従来の実情に鑑みてなされたものであって、捨て水を飛散させずに排水することができ、かつスペースを有効に利用することのできる局部洗浄装置を提供することを解決すべき課題としている。
【課題を解決するための手段】
【０００７】
本発明の局部洗浄装置は、温水タンク装置と、該温水タンク装置から供給される洗浄水を噴出可能なノズルとが取り付けられ、便鉢を有する洋風便器本体の後部上面に載置されるベース部材を有する局部洗浄装置において、
前記ベース部材は、前記洋風便器本体の後部上面に載置された際に前記便鉢の後部上方に開口する排水口と、左右一方の上面に設けられ、前記温水タンク装置から排水される捨て水がホースを介して流入する集水部とを有し、
該集水部は、ベース部材の上面に立ち上げられ、該排水口側が開放された周壁と、該周壁の上端に接続された上面を有する蓋部材とから形成され、
該蓋部材は、上面の一部であって、前記周壁が開放された部分から水平方向に離れた部分が上方に膨張して形成され、該ホースの下流端が接続される流入口が設けられた流入部を有することを特徴とする。
【０００８】
この局部洗浄装置では、温水タンク装置から排水される捨て水は、ホースを介して蓋部材に形成された流入部に流入する。流入部に流入した捨て水は下方に流下し、その後、上方が蓋部材で閉鎖され、周壁に囲まれたベース部材の上面を流れて排水口から便鉢内へ排水される。このように、流入口から流入部に流入した捨て水は、流れる向きが変更され、かつ集水部内に広がりながら排水口に向けて流れるため、勢いが減衰する。このため、捨て水を排水口から便鉢内にスムーズに排水することができる。また、集水部の上方は蓋部材により閉鎖されているため、捨て水が局部洗浄装置内に飛散することを確実に防止することができる。また、蓋部材は、一部が流入部として上方に膨張しているのみであり、他の部分の高さは低く抑えられている。このため、局部洗浄装置の他の機器を流入部を避けて蓋部材の上方に配置することができ、スペースを有効に利用することができる。
【０００９】
したがって、本発明の局部洗浄装置は、捨て水を飛散させずに排水することができ、かつスペースを有効に利用することができる。
【００１０】
温水タンク装置には水抜き機構及び大気開放機構が設けられ、水抜き機構及び大気開放機構には捨て水が吐水される吐水口が設けられ、各吐水口には別々のホースの上流端が接続され得る。この場合、温水タンク装置の複数個所から吐水される捨て水をまとめて便鉢内へ排水することができる。このため、別々に排水する場合に比べ、部品点数を少なくすることができ、構造が簡略化される。よって、局部洗浄装置の組み立てを容易に行うことができる。
【００１１】
流入口は、流入部の側面の上部に形成され得る。この場合、上方に膨張した流入部の上部に流入口が形成されるため、流入口にホースを容易に接続することができる。
【００１２】
集水部はベース部材の左右方向に伸びた横長形状であり、流入部はベース部材の左右端部の近い方に偏らせて形成され得る。この場合、上方に膨張した流入部がベース部材の左右端部に近接して形成される。このため、流入部を避けて、ベース部材の左右中心部に局部洗浄装置の他の機器を配置することができ、スペースを有効に利用することができる。
【発明を実施するための最良の形態】
【００１３】
以下、本発明の局部洗浄装置を具体化した実施例１を図面を参照しつつ説明する。
【実施例１】
【００１４】
実施例１の局部洗浄装置は、図１及び図２に示すように、後ベース部材３１と前ベース部材３２とからなるベース部材３０を有している。ベース部材３０は便鉢２を有する洋風便器本体１の上面に載置可能である。後ベース部材３１は、温水タンク装置１０が取り付けられ、洋風便器本体１の後部上面に固定される。後ベース部材３１の上面には、温水タンク装置１０の下部を囲むように防水壁３１Ｗが立設されている。
【００１５】
前ベース部材３２は、温水タンク装置１０から供給される洗浄水を噴出可能な肛門洗浄用ノズル２１及びビデ用ノズル２２を有するノズルユニット２０が取り付けられている。前ベース部材３２は、後ベース部材３１に対して、図示しない昇降装置により昇降自在に設けられている。ベース部材３０の上面には、図示しない、温風乾燥装置、脱臭装置、空気清浄装置、音楽再生装置、部屋暖房装置等の各種機能装置が取り付けられている。前ベース部材３２には、図示しないケーシングが取り付けられ、温水タンク装置１０、ノズルユニット２０及びベース部材３０上に取り付けられた他の機能装置を収納している。また、ケーシングの前部上面には、図示しない便座及び便蓋が開動自在に軸支されている。
【００１６】
洋風便器本体１は、後部上面に取り付けられたフレーム３に支持された便器洗浄バルブユニット４を有している。便器洗浄バルブユニット４の上流側に接続された給水管６は、洋風便器本体１が据え付けられたトイレルームに引き出された図示しない水道管に接続されている。便器洗浄バルブユニット４は、内部の給水路が分岐され、温水タンク装置１０へ洗浄水を供給する給水管５が形成されている。
【００１７】
温水タンク装置１０は、温水タンク本体１１と、給水機構１２と、水抜き機構１３と、大気開放機構１４とを有している。給水機構１２は、温水タンク本体１１の便器洗浄バルブユニット４側に面した側面の下部に設けられた流入口に接続されている。水抜き機構１３は、温水タンク本体１１の前側面の下部に設けられた排水口に接続されている。大気開放機構１４は、温水タンク本体１１の上面に設けられた流出口に接続されている。
【００１８】
給水機構１２は、便器洗浄バルブユニット４の給水管５に連通する給水ホース１２Ｂと、給水ホース１２Ｂの下流端に接続された電磁式開閉弁１２Ｃと、電磁式開閉弁１２Ｃの下流側に接続された安全弁１２Ｄとを有している。給水ホース１２Ｂの上流端には接続ソケット１２Ａが設けられ、給水管５との接続を簡易に行うことができる。電磁式開閉弁１２Ｃの下流側、かつ安全弁１２Ｄの上流側の流路が温水タンク本体１１の流入口に連通さている。安全弁１２Ｄは、温水タンク装置１０への給水圧力が高すぎる場合、つまり、ノズルユニット２０の各ノズル２１、２２から噴出される洗浄水の流量より給水流量が多すぎる場合、捨て水として接続部１２Ｐの吐水口１２Ｔから洗浄水を吐水する。
【００１９】
水抜き機構１３は、温水タンク本体１１の前側面の下部に設けられた排水口に接続された電磁式排水弁１３Ａと、電磁式排水弁１３Ａの下流側に接続ホース１３Ｓを介して接続され、吐水口１３Ｔを有する接続部１３Ｐを有する排水ポンプ１３Ｂとを有している。局部洗浄装置を長期間使用しない場合、温水タンク本体１１内に貯留されている洗浄水が汚れて詰まったり、冬季に冷え込みが激しいと温水タンク本体１１内に貯留されている洗浄水が凍結したりするおそれがある。このため、局部洗浄装置の使用者等は、水抜き機構１３の電磁式排水弁１３Ａを開弁し、排水ポンプ１３Ｂを駆動して、温水タンク本体１１内に貯留された洗浄水を捨て水として接続部１３Ｐの吐水口１３Ｔから排水させておくことができる。
【００２０】
大気開放機構１４は、温水タンク本体１１の上面に設けられた流出口に設けられた図示しないバキュームブレーカーを有している。バキュームブレーカーの下流側の流路が分岐され、ノズルユニット２０に洗浄水を供給する吐水口１４Ｔを有する接続部１４Ｐと、捨て水を吐水する吐水口１５Ｔを有する接続部１５Ｐとが形成されている。ノズルユニット２０の各ノズル２１、２２には、接続部１４Ｐに接続された給水ホースＳ１と、給水ホースＳ１の下流端に接続された切換弁２３と、切換弁２３の下流側に接続された給水ホースＳ２、Ｓ３を介して温水タンク本体１１に貯留された洗浄水が供給される。大気開放機構１４は、局部洗浄時にはノズルユニット２０に連通する吐水口１４Ｔから洗浄水を吐水し、非洗浄時に温水タンク本体１１内に貯留された洗浄水が加熱されることにより、温水タンク本体１１内の圧力が設定値以上に上昇した場合、捨て水として吐水口１５Ｔから温水タンク本体１１内に貯留された洗浄水を吐水する。
【００２１】
前ベース部材３２は、洋風便器本体１の後部上面に載置された際に便鉢２の後部上方に開口する排水口３３を有している。前ベースプレート３２は、洋風便器本体１の後部上面に載置された際に、洋風便器本体１の前方側から見て左上面に設けられた集水部４０を有している。集水部４０は、左右方向に伸びた横長形状に形成されている。
【００２２】
集水部４０は、図１、図３及び図４に示すように、前ベース部材３２の前部の上面に立ち上げられ、排水口３３側が開放された周壁４１と、周壁４１の上端に接続され、上面を有する蓋部材４２とから形成されている。図３及び図４に示すように、蓋部材４２が接続される部分の周壁４１は、蓋部材４２の下方に伸びる挿入片４２Ａが挿入可能な隙間を隔てて内側に立設する内壁４１Ａを有している。このため、蓋部材４２は、周壁４１の上方から周壁４１と内壁４１Ａとの間に蓋部材４２の挿入片４２Ａを挿入し、左右２か所に設けられた固定片４２ＢをビスＢにより螺着し、固定される。
【００２３】
蓋部材４２は、図１〜図３に示すように、左後部の上面が上方に膨張して形成された流入部４３を有している。流入部４３の後側面の上部には、流入口４４が後方を向けて開口する３つの接続部が左右に並んで形成されている。これら接続部には、図２及び図３に示すように、大気開放機構１４の接続部１５Ｐに接続されたホースＨ１の下流端、水抜き機構１３の接続部１３Ｐに接続されたホースＨ２の下流端及び給水機構１２の接続部１２Ｐに接続されたホースＨ３の下流端が接続されている。流入部４３の上部に流入口４４が形成されているため、各ホースＨ１、Ｈ２、Ｈ３を容易に流入口４４に接続することができる。
【００２４】
以上のように構成された実施例１の局部洗浄装置では、非洗浄時に温水タンク本体１１内に貯留された洗浄水が加熱されることにより、温水タンク本体１１内の圧力が設定値以上に上昇した場合、吐水口１５Ｔから吐水された捨て水がホースＨ１を通じて流入部４３に流入する。また、局部洗浄装置を長期間使用しない場合、温水タンク本体１１内に貯留されている洗浄水が汚れて詰まったり、冬季に冷え込みが激しいと温水タンク本体１１内に貯留されている洗浄水が凍結したりするおそれがある。この際、局部洗浄装置の使用者等は、水抜き機構１３の電磁式排水弁１３Ａを開弁し、排水ポンプ１３Ｂを駆動させる。これにより、温水タンク本体１１内に貯留された洗浄水が吐水口１３Ｔから捨て水として吐水され、ホースＨ２を通じて流入部４３に流入する。また、温水タンク装置１０への給水圧力が高すぎる場合、つまり、ノズルユニット２０の各ノズル２１、２２から噴出する洗浄水の流量より給水流量が多すぎる場合、吐水口１２Ｔから吐水された捨て水がホースＨ３を通じて流入部４３に流入する。
【００２５】
流入部４３に流入した捨て水は、流入部４３内を下方に流下し、その後、上方が蓋部材４２で閉鎖され、周壁４１に囲まれた前ベース部材３２の上面を流れて排水口３３から便鉢２内に排水される。このように、流入口４４から流入部４３に流入した捨て水は、流れる向きが変更され、かつ集水部４０内に広がりながら排水口３３に向けて流れるため、勢いが減衰する。このため、捨て水を排水口３３から便鉢２内にスムーズに排水することができる。集水部４０の上方は蓋部材４２により閉鎖されているため、捨て水が局部洗浄装置内に飛散することを確実に防止することができる。蓋部材４２は、左後部の上面に流入部４３が上方に膨張して形成されている。このため、流入部４３を避けて、前ベース部材３２の左右中心部に局部洗浄装置の他の機器を配置することができ、スペースを有効に利用することができる。
【００２６】
したがって、実施例１の局部洗浄装置は、捨て水を飛散させずに排水することができ、かつスペースを有効に利用することができる。
【００２７】
また、温水タンク装置１０の複数個所から吐水される捨て水をまとめて便鉢２内へ排水することができるため、別々に排水する場合に比べ、部品点数を少なくすることができ、構造が簡略化される。このため、局部洗浄装置の組み立てを容易に行うことができる。
【００２８】
以上において、本発明を実施例１に即して説明したが、本発明は上記実施例に制限されるものではなく、その趣旨に逸脱しない範囲で適宜変更して適用できることはいうまでもない。
【００２９】
例えば、給水機構１２の吐水口１２Ｔから吐水される捨て水は流量が多いため、別経路を設け、便鉢２内に排出してもよい。この場合、前ベース部材３２に排水口３３とは別の開口を設け、直接、吐水口１２Ｔの連通するホースＨ３の下流端を連通させてもよい。
安全弁１２Ｄを給水機構１２に設けず、直接、温水タンク本体１１に設けてもよい。
ベース部材３０は、後ベース部材３１と前ベース部材３２とに分割されず、一体にされていてもよい。
【産業上の利用可能性】
【００３０】
本発明は局部洗浄装置を有する洋風水洗式便器に利用可能である。
【図面の簡単な説明】
【００３１】
【図１】実施例１の局部洗浄装置を示す分解斜視図である。
【図２】実施例１の局部洗浄装置を示す平面図である。
【図３】実施例１の局部洗浄装置の要部を示す模式図である。
【図４】実施例１の局部洗浄装置の濃部を示す断面図である。
【符号の説明】
【００３２】
１…洋風便器本体
２…便鉢
１０…温水タンク装置
１３…水抜き機構
１３Ｔ…吐水口
１４…大気開放機構
１４Ｔ…吐水口
２１、２２…ノズル（２１…肛門洗浄用ノズル、２２…ビデ用ノズル）
３０…ベース部材（３１…後ベース部材、３２…前ベース部材）
３３…排水口
４０…集水部
４１…周壁
４２…蓋部材
４３…流入部
Ｈ１、Ｈ２、Ｈ３…ホース
【図１】
0005340641.tif 000002
【図２】
0005340641.tif 000003
【図３】
0005340641.tif 000004
【図４】
0005340641.tif 000005